(57)【要約】【課題】鮎竿に代表される全長の長い延べ竿において、魚のアタリを感じ取りやすくする。【解決手段】穂先竿のブランクは、長さ方向の中途部に竿先側に対して急激に剛性が大きくなった大剛性部３を備えると共に、該大剛性部３の竿先側に、錘となる層１１を有するハンマーヘッド領域４と、該ハンマーヘッド領域４と大剛性部３との間に位置し、錘となる層１１を有しない腕領域５とを備えている。ハンマーヘッド領域４は、竿元側に向けて小径となる逆テーパ形状やストレート形状に形成され、腕領域５は竿元側に向けて大径となる順テーパ形状に形成されている。穂先竿のブランクは、二本の管状のブランク６，７が不離一体に継ぎ合わせられて構成され、該二本の管状のブランク６，７同士の継合部により前記大剛性部３が構成されている。【選択図】図１
2015208265.tif 000002
【特許請求の範囲】
【請求項１】
複数の竿体が振出式又は並継ぎ式に継ぎ合わせられて構成され、穂持竿の竿先側に継ぎ合わせられる穂先竿の先端の釣糸結着部に釣糸が結着される延べ竿であって、
穂先竿のブランクは、長さ方向の中途部に竿先側に対して急激に剛性が大きくなった大剛性部を備えると共に、該大剛性部の竿先側には、錘となる層を有するハンマーヘッド領域と、該ハンマーヘッド領域と大剛性部との間に位置し、錘となる層を有しない腕領域とを備えていることを特徴とする延べ竿。
【請求項２】
ハンマーヘッド領域は、全体として、竿元側に向けて小径となる逆テーパ形状、径略一定のストレート形状、あるいは、逆テーパ形状とストレート形状を組み合わせた形状の何れかであり、腕領域は、全体として、竿元側に向けて大径となる順テーパ形状である請求項１記載の延べ竿。
【請求項３】
穂先竿のブランクは、二本の管状のブランクが不離一体に継ぎ合わせられて構成され、該二本の管状のブランク同士の継合部により前記大剛性部が構成されている請求項１又は２記載の延べ竿。
【請求項４】
錘となる層は、金属繊維を含んだ繊維強化樹脂層である請求項１乃至３の何れかに記載の延べ竿。
【請求項５】
金属繊維としてタングステン繊維を含んでいる請求項４記載の延べ竿。
【請求項６】
先端の釣糸結着部に釣糸が結着され、穂持竿に対して振出式又は並継ぎ式に継ぎ合わせられる延べ竿の穂先竿であって、
ブランクは、長さ方向の中途部に竿先側に対して急激に剛性が大きくなった大剛性部を備えると共に、該大剛性部の竿先側には、錘となる層を有するハンマーヘッド領域と、該ハンマーヘッド領域と大剛性部との間に位置し、錘となる層を有しない腕領域とを備えていることを特徴とする延べ竿の穂先竿。
【発明の詳細な説明】
【技術分野】
【０００１】
本発明は、先端部に釣糸が結着されるタイプの釣竿である延べ竿とその穂先竿に関する。
【背景技術】
【０００２】
鮎竿に代表される全長の長い延べ竿は、複数の竿体を振出式又は並継ぎ式に継ぎ合わせた構成とされる。その複数の竿体のうち最も竿先に位置する穂先竿は、その竿元側に位置する穂持竿に対して振出式又は並継ぎ式に継ぎ合わせられる。そして、その穂先竿の先端部に釣糸を結着して使用される。
【０００３】
例えば、鮎の友釣りにおいては、囮となる鮎にアタックしてくる鮎のアタリを感じ取ってフッキングすることが重要となり、特に鮎の活性が低い場合には小さなアタリを感じ取って素早くフッキングする必要がある。リールを使用しない鮎竿では、先端部に結着された釣糸に伝わるアタリを全て鮎竿を介して感じ取ることになるため、全長の長い鮎竿であっても高い感度が求められる。
【０００４】
これに対して従来の鮎竿においては、穂先から竿尻にかけて徐々に大径となるようにしてアタリを穂先から手元に伝達するようにしていたが、アタリを手元までより大きく伝達できる構成が求められていた。
【先行技術文献】
【特許文献】
【０００５】
【特許文献１】特許第３９５６２０９号公報
【発明の概要】
【発明が解決しようとする課題】
【０００６】
それゆえに本発明は上記従来の問題点に鑑みてなされ、鮎竿に代表される全長の長い延べ竿において、魚のアタリを感じ取りやすくすることを課題とする。
【課題を解決するための手段】
【０００７】
本発明は上記課題を解決すべくなされたものであって、本発明に係る延べ竿は、複数の竿体が振出式又は並継ぎ式に継ぎ合わせられて構成され、穂持竿の竿先側に継ぎ合わせられる穂先竿の先端の釣糸結着部に釣糸が結着される延べ竿であって、穂先竿のブランクは、長さ方向の中途部に竿先側に対して急激に剛性が大きくなった大剛性部を備えると共に、該大剛性部の竿先側には、錘となる層を有するハンマーヘッド領域と、該ハンマーヘッド領域と大剛性部との間に位置し、錘となる層を有しない腕領域とを備えていることを特徴とする。
【０００８】
該構成の延べ竿にあっては、穂先竿の長さ方向の中途部に大剛性部が設けられているので、その大剛性部が穂先竿の曲がりに対する支点となる。そして、その大剛性部の竿先側に所定距離離れた位置には、重量のあるハンマーヘッド領域が設けられているので、魚のアタリが釣糸から釣糸結着部を介して穂先竿に伝達されると、ハンマーヘッド領域と大剛性部との間に位置する腕領域が大きく曲がってハンマーヘッド領域が振り子のように大きく振動することになる。即ち、重量のあるハンマーヘッド領域が大きく振れることで、従来の穂先竿に比して振幅が大きくなる。このように、大剛性部の竿先側においてアタリによる振幅が増幅されることになるため、魚のアタリである魚信が増幅されて穂先竿から穂持竿へと伝達され、更にはその竿元側の竿体へと順次伝達されて手元に大きな振動となって伝達されることになる。
【０００９】
特に、ハンマーヘッド領域は、全体として、竿元側に向けて小径となる逆テーパ形状、径略一定のストレート形状、あるいは、逆テーパ形状とストレート形状を組み合わせた形状の何れかであり、腕領域は、全体として、竿元側に向けて大径となる順テーパ形状であることが好ましい。該構成によれば、ハンマーヘッド領域を順テーパ形状ではなく逆テーパ形状等とすることで、ハンマーヘッド領域の重量を効果的に大きくすることができ、より大きな曲がり具合が得られる。また、腕領域については通常の順テーパ形状とすることで、大きな曲がりを確保しつつ、必要な強度を確保することができる。
【００１０】
また、穂先竿のブランクは、二本の管状のブランクが不離一体に継ぎ合わせられて構成され、該二本の管状のブランク同士の継合部により前記大剛性部が構成されていることが好ましい。該構成によれば、二本の管状のブランクを接着等によって不離一体に継ぎ合わせて穂先竿のブランクが構成されてその継合部によって大剛性部が構成されているため、剛性が急激に変化する大剛性部を容易に形成することができる。しかも、二本のブランクが中実ではなく中空の管状であるので、即ち、竿元側のブランクのみならず、竿先側のブランクも管状であるので、大剛性部よりも竿先側の領域であるハンマーヘッド領域と腕領域の剛性が高く、従来に比して大きく曲がる仕様であっても十分な強度を確保することができる。また、穂先竿のブランクを中空の構成とすることで、従来に比して大きく曲がる仕様であっても高い感度が得られ、中実の構成に比して、穂持竿に魚信をより一層効率良く伝達できる。
【００１１】
また、錘となる層は、金属繊維を含んだ繊維強化樹脂層であることが好ましい。該構成によれば、錘となる層の厚さや形状を容易にコントロールして穂先竿を製造することができる。特に、金属繊維を含むプリプレグにより容易に製造できる。
【００１２】
特に、金属繊維としてタングステン繊維を含んでいることが好ましい。タングステン繊維は比重が非常に大きいため、ハンマーヘッド領域が過度に太くならずに済む。従って、強化繊維がタングステン繊維のみからなるプリプレグを使用することが好ましい。
【００１３】
また本発明に係る延べ竿の穂先竿は、先端の釣糸結着部に釣糸が結着され、穂持竿に対して振出式又は並継ぎ式に継ぎ合わせられる延べ竿の穂先竿であって、ブランクは、長さ方向の中途部に竿先側に対して急激に剛性が大きくなった大剛性部を備えると共に、該大剛性部の竿先側には、錘となる層を有するハンマーヘッド領域と、該ハンマーヘッド領域と大剛性部との間に位置し、錘となる層を有しない腕領域とを備えていることを特徴とする。
【発明の効果】
【００１４】
以上のように、穂先竿のブランクに、曲がりの支点となる大剛性部とその竿先側に所定距離離れた位置にハンマーヘッド領域を設けたことにより、魚のアタリに対する穂先竿の振幅が従来に比して大きくなり、魚のアタリを穂先竿で増幅して手元まで伝達することができる。
【図面の簡単な説明】
【００１５】
【図１】（ａ）は本発明の一実施形態における延べ竿の穂先竿のブランクを示す正面図、（ｂ）は同穂先竿の断面図。
【図２】同穂先竿の要部の詳細構造を示す拡大断面図及び部分パターン図。
【発明を実施するための形態】
【００１６】
以下、本発明の一実施形態に係る延べ竿及びその穂先竿について図面を参酌しつつ説明する。本実施形態における延べ竿は、鮎竿であって、例えば、継ぎ数が７〜１０本であり、全長が８〜１０ｍである。延べ竿は、複数の竿体を振出式又は並継ぎ式に継ぎ合わせられて構成されるが、本実施形態では振出式のものである。
【００１７】
図１に穂先竿のブランク（竿本体）を示しており、図１（ａ）にはその外観形状を示し、図１（ｂ）にはその断面形状を示している。延べ竿を構成する複数の竿体のうち最も竿先側の竿体である穂先竿は、二番目の竿体である穂持竿１の竿先側に振出式に継ぎ合わせられ、穂持竿１の先端から出退自在に構成される。このように穂先竿が穂持竿１に振出式に継ぎ合わせられるため、穂先竿の竿元側の端部外周面には、竿先側に対して一段大径となった嵌合雄部２が形成されている。筒状の穂持竿１の竿先側の端部内周面には嵌合雌部が形成され、使用時において、穂持竿１の嵌合雌部に穂先竿の嵌合雄部２が嵌合することにより、穂先竿は、穂持竿１から竿先側に所定の露出長さで突出した状態に維持される。また、穂先竿の先端（竿先側の端部）には、釣糸を結着するための図示しない釣糸結着部が設けられる。該釣糸結着部の構成は任意であるが、好ましくは、穂先竿のブランクの先端に、金属製等の釣糸取り付け具を取り付け、該釣糸取り付け具に釣糸結着部を設けるようにする。また、釣糸取り付け具の釣糸結着部は、穂先竿の軸線（中心線）まわりに回転可能に構成されることが好ましい。
【００１８】
穂先竿のブランクは、その長さ方向（軸線方向）の中途部に剛性が竿先側に対して急激に大きくなった大剛性部３を備えている。大剛性部３においては、剛性がステップ状に変化し、例えば数十％、一例としては５０％程度ステップ状に変化している。大剛性部３の位置は任意に設定すればよいが、本実施形態では中央部に位置している。そして、大剛性部３よりも竿先側の部分は、竿先側の領域と竿元側の領域の合計二つの領域から構成されている。即ち、大剛性部３よりも竿先側の部分は、竿先側に位置し、全体として径略一定のストレート形状に形成されたハンマーヘッド領域４と、竿元側に位置し、全体として竿元側に向けて大径となる順テーパ形状に形成された腕領域５とから構成されている。
【００１９】
詳細には、穂先竿のブランクは、二本の管状のブランク６，７が不離一体に継ぎ合わせられて一本のブランクとして構成されている。竿先側のブランク６と竿元側のブランク７とが連結一体化されて穂先竿のブランクが構成されており、竿先側のブランク６の竿元側の端部が、竿元側のブランク７の竿先側の端部の内側に所定長さ挿入されて接着固定されている。二本のブランク６，７同士の継合部が上述した大剛性部３となっている。また、竿元側のブランク７の先端から突出している竿先側のブランク６の部分が、上述したハンマーヘッド領域４及び腕領域５である。
【００２０】
竿先側のブランク６と竿元側のブランク７は、何れも繊維強化樹脂製である。即ち、各種の強化繊維にエポキシ樹脂等の樹脂を含浸させたプリプレグを芯金に巻回して加圧焼成することにより形成されている。尚、竿先側のブランク６と竿元側のブランク７は、何れも内径が竿元側に向けて徐々に大きくなっていく。その内径のテーパ率（拡大率）は、即ち、芯金のテーパ率であるが、それは、竿先側のブランク６の方が小さく、竿元側のブランク７の方が大きい。
【００２１】
竿先側のブランク６は、図２にも詳細図を示しているように、メイン層１０と、錘となる層１１を備えている。メイン層１０は、繊維強化樹脂層であり、竿先側のブランク６の全長に亘って形成されている。メイン層１０は、通常、複数枚のプリプレグから形成されるが、その形成方法は常法のものであり、強化繊維にはカーボン繊維等の非金属繊維が使用される。メイン層１０は、全体として竿元側に向けて大径となる順テーパ形状に形成されており、また、厚さ略一定、あるいは、竿先側よりも竿元側の方が厚く形成されている。尚、図２にはパターン図を部分的に示しているが、メイン層１０を構成するプリプレグについては図示を省略している。
【００２２】
錘となる層１１は、メイン層１０の外側に形成されている。錘となる層１１は、竿先側の先端（即ち、穂先竿のブランクの先端）から所定長さにのみ形成されており、竿元側の所定長さ部分には形成されていない。このように竿先側のブランク６は、錘となる層１１を有する竿先側の領域と錘となる層１１を有しない竿元側の領域とに区画され、錘となる層１１が形成された竿先側の領域がハンマーヘッド領域４であり、錘となる層１１が形成されていない竿元側の領域（但し継合部を除く）が腕領域５である。錘となる層１１は、厚さ略一定に形成してもよいし、竿先側に向けて厚く形成してもよいし、逆に、竿元側に向けて厚く形成してもよいが、図２では、その全長のうち前部が厚さ略一定で後部が竿元側に向けて薄くなっていくものを例示している。尚、竿先側のブランク６の厚さ（全厚）は、先端からハンマーヘッド領域４と腕領域５との境界８の近傍までが略一定であり、そこから竿元側に向けて徐々に厚くなっていく。
【００２３】
錘となる層１１は、金属繊維を含んだ繊維強化樹脂層であり、強化繊維として金属繊維が使用されたプリプレグにより形成されている。金属繊維の材料としては、例えばタングステン、チタン、ステンレス鋼、黄銅、銅、ニッケル、バネ鋼、形状記憶合金等を用いることができ、特に比重が大きいことからタングステンが好ましい。これらの金属繊維を一種類あるいは複数種類組み合わせて使用する。但し、これらの金属繊維とカーボン繊維等の非金属繊維とを組み合わせて使用してもよく、少なくとも強化繊維の一部が金属繊維であればよい。また特に、強化繊維としてタングステン繊維のみを使用したプリプレグから錘となる層１１を形成することがが好ましい。タングステン繊維のプリプレグとしては、例えば、三菱レイヨン（株）製のタングステンプリプレグ（ＴＰ０１２Ｇ、厚さ０．１１ｍｍ、目付６００ｇ／ｍ２、樹脂量５０％）を使用する。巻き数は１回以上、好ましくは２回巻きとする。図２に示しているように、錘となる層１１を構成するためのプリプレグ２１はその前部を幅一定とし、後部を竿元側に向けて徐々に細くして、全体として台形とすることができる。
【００２４】
更に、ハンマーヘッド領域４と腕領域５との境界８には、オーバーラップ層１２を設けることが好ましい。該オーバーラップ層１２は、錘となる層１１の後端における段差を小さくするためのものであって、ハンマーヘッド領域４と腕領域５との境界８を跨ぐように、錘となる層１１の後端部からその竿元側におけるメイン層１０の部分にかけてその外側に形成されている。かかるオーバーラップ層１２は非金属繊維からなる繊維強化樹脂層であって、メイン層１０と同様の強化繊維からなるプリプレグ２２により形成できる。特に、周方向に引き揃えられたガラス繊維からなるプリプレグ２２を使用することが好ましい。このようにオーバーラップ層１２を境界８の外側に形成することにより、錘となる層１１の後端における段差を小さくすることができると共に、錘となる層１１の後端部におけるメイン層１０からの層間剥離を防止することができ、また、境界８の部分の補強にもなる。従って、オーバーラップ層１２を形成するプリプレグ２２にはガラス繊維を含んでいることが好ましい。尚、図示していないが、錘となる層１１の外側を含めて全長に亘って外層を形成することもでき、その外層は、例えばテープ状のプリプレグを密巻にする等して形成することができる。
【００２５】
一方、竿元側のブランク７は、竿先側のブランク６のメイン層１０と同様の構成であって、カーボン繊維等の各種の非金属繊維を強化繊維としたプリプレグにより形成される。尚、嵌合雄部２を形成すべく、竿元側の端部の外周部分には所定長さの補強層が形成されている。この補強層は補強用のプリプレグを竿元側の端部に巻回することにより形成される。
【００２６】
尚、ハンマーヘッド領域４の長さ、即ち、錘となる層１１が形成されている領域の長さは、例えば１００〜２００ｍｍであって、少なくとも５０ｍｍであるが、曲がる領域である腕領域５の長さを確保するため、腕領域５の長さよりも短くすることが好ましい。
【００２７】
以上のように構成された穂先竿とそれを備えた鮎竿にあっては、囮の鮎にアタックしてきた鮎のアタリが釣糸から釣糸結着部を介して穂先竿に伝達されると、大剛性部３が支点となって腕領域５が大きく曲がり、ハンマーヘッド領域４が振り子のように大きく振動することになる。このようにハンマーヘッド領域４が大きく振れることで、アタリによる振幅が増幅されることになり、増幅された魚信が穂先竿から穂持竿１へと伝達され、更にはその竿元側の竿体へと順次伝達されて手元に大きな振動となって伝達されることになる。
【００２８】
特に、穂先竿が全長に亘って中空であるので、従来に比して大きく曲がる仕様であっても感度が高く、より一層効率良く魚信を穂持竿１に伝達することができる。また、竿元側のブランク７のみならず竿先側のブランク６も管状であるので、腕領域５の剛性が高い。従って、大きく曲がる腕領域５の強度を容易に確保することができる。更に、二本のブランク６，７を連結一体化して穂先竿を構成しているので製造が容易であって、継合部によって容易に大剛性部３を形成することができる。
【００２９】
また更に、ハンマーヘッド領域４を順テーパ形状ではなく全体として径略一定のストレート形状としているので、竿先側の重量を効果的に大きくすることができる。その一方、腕領域５を順テーパ形状の中空管状とすることで、大きな曲がりを確保しつつ強度を確保できる。
【００３０】
また、錘となる層１１を金属繊維を含むプリプレグにより形成しているので、厚さや形状を容易にコントロールすることができると共にメイン層１０に対する高い密着性も得られて層間剥離を防止することができる。特に、比重の高いタングステンプリプレグから錘となる層１１を形成することにより、ハンマーヘッド領域４が過度に太くなることなく大きな重量を確保することができる。しかも、メイン層１０が竿先側のブランク６の全長に亘って形成されている、即ち、穂先竿のブランクの先端まで形成されているので、ハンマーヘッド領域４と腕領域５と間の境界８における強度を容易に確保できる。
【００３１】
尚、本実施形態ではハンマーヘッド領域４を全体として径略一定のストレート形状としたが、全体として竿元側に向けて小径となる逆テーパ形状としてもよく、また、前部を逆テーパ形状とし後部をストレート形状としたり、前部をストレート形状とし後部を逆テーパ形状としたりしてもよい。更に、ハンマーヘッド領域４を、全体として竿元側に向けて僅かに大径となる順テーパ形状としてもよい。ハンマーヘッド領域４を全体として順テーパ形状とする場合には少なくとも腕領域５よりも小さい拡大率の順テーパ形状とすることが好ましい。また、錘となる層１１を竿先側に向けて厚く形成することも好ましく、先端においてメイン層１０よりも錘となる層１１を厚く形成することも好ましい。更に、錘となる層１１をメイン層１０の外側に形成したが、逆にメイン層１０の内側に形成してもよいし、中間層として形成してもよい。但し、錘となる層１１をメイン層１０の外側に形成することにより、振動増幅効果が高まる。
【００３２】
また、穂先竿を二本のブランク６，７から構成したが、継合部のない一本の構成であってもよい。また更に、穂先竿が中実であってもよく、穂先竿を上述のような二本のブランク６，７から構成する場合には、何れか一方を中実とし他方を中空としてもよい。また、錘となる層１１を薄い金属箔により形成してもよい。鮎竿以外の渓流竿等にも適用可能である。
【符号の説明】
【００３３】
１    穂持竿
２    嵌合雄部
３    大剛性部
４    ハンマーヘッド領域
５    腕領域
６    竿先側のブランク
７    竿元側のブランク
８    境界
１０    メイン層
１１    錘となる層
１２    オーバーラップ層
２１    錘となる層のプリプレグ
２２    オーバーラップ層のプリプレグ
【図１】
2015208265.tif 000003
【図２】
2015208265.tif 000004